(57)【要約】  本発明は、スマート浄水器におけるユーザ通知方法、その装置、プログラム及び記録媒体を開示し、スマート家電の技術分野に属する。当該方法は、サーバは、浄水器から報告された、浄水操作の後に検出されたＴＤＳデータを受信するステップと、前記ＴＤＳデータに基づいて、前記浄水器の対応する、前記浄水器の直近一回に洗浄した後のＴＤＳデータ総増加量である累積ＴＤＳデータを算出するステップと、前記浄水器の対応する累積ＴＤＳデータ及び所定の最大洗浄時間に基づいて、現在状態の前記浄水器の洗浄周期を算出するステップと、前記洗浄周期が所定条件を満たす場合、前記浄水器に繋がる端末にプロンプトメッセージを送信するステップことにより、前記浄水器を洗浄する必要があることをユーザに通知するステップと、を含む。ユーザが浄水器を使用する過程において、洗浄を必要とする浄水器について自動的にユーザに通知し、浄水器の使用効率を向上させ、マンマシンインタラクティブを高めることができる。【選択図】  図１
2017506153.tif 000002
【特許請求の範囲】
【請求項１】
サーバが、浄水器から報告されたＴＤＳデータであって、浄水操作の後に検出されたＴＤＳデータを受信するステップと、
前記ＴＤＳデータに基づいて、前記浄水器の対応する累積ＴＤＳデータであって、前記浄水器の直近一回に洗浄した後のＴＤＳデータ総増加量である累積ＴＤＳデータを算出するステップと、
前記浄水器の対応する累積ＴＤＳデータ及び所定の最大洗浄時間に基づいて、現在状態の前記浄水器の洗浄周期を算出するステップと、
前記洗浄周期が所定条件を満たす場合、前記浄水器に繋がる端末にプロンプトメッセージを送信することにより、前記浄水器を洗浄する必要があることをユーザに通知するステップと、を含む
ことを特徴とするスマート浄水器におけるユーザ通知方法。
【請求項２】
前記サーバが、浄水器から報告された、浄水操作の後に検出されたＴＤＳデータを受信するステップは、
サーバが、浄水器から報告された、浄水操作の後に検出された給水ＴＤＳデータ及び出水ＴＤＳデータを受信するステップ、
または、
サーバが、浄水器から報告された、浄水操作の後に検出された給水ＴＤＳデータ及び出水ＴＤＳデータに基づいて算出された増量ＴＤＳデータを受信するステップを含む
ことを特徴とする請求項１に記載のスマート浄水器におけるユーザ通知方法。
【請求項３】
現在状態の前記浄水器の洗浄周期を算出するステップの後、さらに、
現在日付と前記浄水器の対応する直近一回の洗浄日付との差が前記洗浄周期以上である場合、前記洗浄周期が所定条件を満たすと判定するステップを含む
ことを特徴とする請求項１に記載のスマート浄水器におけるユーザ通知方法。
【請求項４】
さらに、
浄水器から報告された洗浄イベント情報を受信するステップと、
前記洗浄イベント情報に基づいて、前記浄水器の対応する直近一回の洗浄日付を更新するステップと、を含む
ことを特徴とする請求項１に記載のスマート浄水器におけるユーザ通知方法。
【請求項５】
前記浄水器の対応する直近一回の洗浄日付を更新するステップの後、さらに、
前記浄水器の対応する累積ＴＤＳデータをゼロクリア処理するステップを含む
ことを特徴とする請求項４に記載のスマート浄水器におけるユーザ通知方法。
【請求項６】
浄水器が、浄水操作を行った後、浄水操作を行った後に検出したＴＤＳデータを取得するステップと、
前記ＴＤＳデータをサーバに送信することにより、前記サーバが前記ＴＤＳデータに基づいて前記浄水器に繋がる端末にプロンプトメッセージを送信するステップと、を含む
ことを特徴とするスマート浄水器におけるユーザ通知方法。
【請求項７】
前記浄水器が、浄水操作を行った後に検出したＴＤＳデータを取得するステップは、
前記浄水器が、浄水操作を行った後に検出した給水ＴＤＳデータ及び出水ＴＤＳデータを取得するステップを含み、
前記ＴＤＳデータをサーバに送信するステップは、
前記給水ＴＤＳデータ及び前記出水ＴＤＳデータをサーバに送信するステップを含む
ことを特徴とする請求項６に記載のスマート浄水器におけるユーザ通知方法。
【請求項８】
前記浄水器が、浄水操作を行った後に検出したＴＤＳデータを取得するステップは、
前記浄水器が、浄水操作を行った後に検出した給水ＴＤＳデータ及び出水ＴＤＳデータを取得するステップと、
前記給水ＴＤＳデータ及び前記出水ＴＤＳデータに基づいて、増量ＴＤＳデータを算出するステップと、を含み
前記ＴＤＳデータをサーバに送信するステップは、
前記増量ＴＤＳデータをサーバに送信するステップを含む
ことを特徴とする請求項６に記載のスマート浄水器におけるユーザ通知方法。
【請求項９】
さらに、
前記浄水器が洗浄イベントをトリガしたと検出する場合、前記サーバに洗浄イベント情報を送信するステップを含む
ことを特徴とする請求項６に記載のスマート浄水器におけるユーザ通知方法。
【請求項１０】
サーバが、浄水器から報告された、浄水操作の後に検出されたＴＤＳデータを受信するための第１の受信モジュールと、
前記第１の受信モジュールにより受信された前記ＴＤＳデータに基づいて、前記浄水器の対応する、前記浄水器の直近一回に洗浄した後のＴＤＳデータ総増加量である累積ＴＤＳデータを算出するための第１の算出モジュールと、
前記第１の算出モジュールにより算出された前記浄水器の対応する累積ＴＤＳデータ及び所定の最大洗浄時間に基づいて、現在状態の前記浄水器の洗浄周期を算出するための第２の算出モジュールと、
前記第２の算出モジュールにより算出された前記洗浄周期が所定条件を満たす場合、前記浄水器に繋がる端末にプロンプトメッセージを送信することにより、前記浄水器を洗浄する必要があることをユーザに通知するための通知モジュールと、を含む
ことを特徴とするスマート浄水器におけるユーザ通知装置。
【請求項１１】
前記第１の受信モジュールは、
サーバが、浄水器から報告された、浄水操作の後に検出された給水ＴＤＳデータ及び出水ＴＤＳデータを受信するための第１の受信ユニットと、
サーバが、浄水器から報告された、浄水操作の後に検出された給水ＴＤＳデータ及び出水ＴＤＳデータに基づいて算出された増量ＴＤＳデータを受信するための第２の受信ユニットと、を含む
ことを特徴とする請求項１０に記載のスマート浄水器におけるユーザ通知装置。
【請求項１２】
さらに、
現在日付と前記浄水器の対応する直近一回の洗浄日付との差が前記第２の算出モジュールにより算出された前記洗浄周期以上である場合、前記洗浄周期が所定条件を満たすと判定するための特定モジュールを含む
ことを特徴とする請求項１０に記載のスマート浄水器におけるユーザ通知装置。
【請求項１３】
さらに、
浄水器から報告された洗浄イベント情報を受信するための第２の受信モジュールと、
前記第２の受信モジュールにより受信された前記洗浄イベント情報に基づいて、前記浄水器の対応する直近一回の洗浄日付を更新するための更新モジュールと、を含む
ことを特徴とする請求項１０に記載のスマート浄水器におけるユーザ通知装置。
【請求項１４】
さらに、
前記浄水器の対応する累積ＴＤＳデータをゼロクリア処理するための処理モジュールを含む
ことを特徴とする請求項１３に記載のスマート浄水器におけるユーザ通知装置。
【請求項１５】
浄水器が浄水操作を行った後に、浄水操作を行った後に検出したＴＤＳデータを取得するための取得モジュールと、
前記取得モジュールにより取得された前記ＴＤＳデータをサーバに送信することにより、前記サーバが前記ＴＤＳデータに基づいて前記浄水器に繋がる端末にプロンプトメッセージを送信するための第１の送信モジュールと、を含む
ことを特徴とするスマート浄水器におけるユーザ通知装置。
【請求項１６】
前記取得モジュールは、
前記浄水器が、浄水操作を行った後に検出した給水ＴＤＳデータ及び出水ＴＤＳデータを取得するための第１の取得ユニットを含み、
前記第１の送信モジュールは、
前記第１の取得ユニットにより取得された前記給水ＴＤＳデータ及び前記出水ＴＤＳデータをサーバに送信するための第１の送信ユニットを含む
ことを特徴とする請求項１５に記載のスマート浄水器におけるユーザ通知装置。
【請求項１７】
前記取得モジュールは、
前記浄水器が、浄水操作を行った後に検出した給水ＴＤＳデータ及び出水ＴＤＳデータを取得するための第２の取得ユニットと、
前記給水ＴＤＳデータ及び前記出水ＴＤＳデータに基づいて、増量ＴＤＳデータを算出するための算出ユニットと、を含み、
前記第１の送信モジュールは、
前記第１の取得ユニットにより取得された前記増量ＴＤＳデータをサーバに送信するための第２の送信ユニットを含む
ことを特徴とする請求項１５に記載のスマート浄水器におけるユーザ通知装置。
【請求項１８】
さらに、
前記浄水器が洗浄イベントをトリガしたと検出する場合、前記サーバに洗浄イベント情報を送信するための第２の送信モジュールを含む
ことを特徴とする請求項１５に記載のスマート浄水器におけるユーザ通知装置。
【請求項１９】
プロセッサと、
プロセッサにより実行可能な指令を記憶するメモリと、を備え、
前記プロセッサは、
サーバが、浄水器から報告された、浄水操作の後に検出されたＴＤＳデータを受信し、
前記ＴＤＳデータに基づいて、前記浄水器の対応する、前記浄水器の直近一回に洗浄した後のＴＤＳデータ総増加量である累積ＴＤＳデータを算出し、
前記浄水器の対応する累積ＴＤＳデータ、及び所定の最大洗浄時間に基づいて、現在状態の前記浄水器の洗浄周期を算出し、
前記洗浄周期が所定条件を満たす場合、前記浄水器に繋がる端末にプロンプトメッセージを送信することにより、前記浄水器を洗浄する必要があることをユーザに通知する
ことを特徴とするスマート浄水器におけるユーザ通知装置。
【請求項２０】
プロセッサと、
プロセッサにより実行可能な指令を記憶するメモリと、を備え、
前記プロセッサは、
浄水器が浄水操作を行った後、浄水操作を行った後に検出されたＴＤＳデータを取得し、
前記ＴＤＳデータをサーバに送信することにより、前記サーバが前記ＴＤＳデータに基づいて前記浄水器に繋がる端末にプロンプトメッセージを送信する
ことを特徴とするスマート浄水器におけるユーザ通知装置。
【発明の詳細な説明】
【関連出願の相互参照】
【０００１】
本願は、出願番号がＣＮ２０１４１０６０２４１６．０であって、出願日が２０１４年１０月３１日である中国特許出願に基づき優先権を主張し、当該中国特許出願のすべての内容を本願に援用する。
【技術分野】
【０００２】
本発明は、スマート家電分野に関し、特に、スマート浄水器におけるユーザ通知方法及びその装置に関する。
【背景技術】
【０００３】
生活水準の向上に伴い、飲用水の品質は、ますます重視されていく。したがって、より多くの人は、水道水に含まれる各種の不純物及び細菌を浄化するために、自宅に浄水器を導入した。
【０００４】
浄水器の使用過程において、各種のろ過膜は、水圧の作用で糸切れが発生する可能性があるので、細菌がろ過膜を通過するか、または出水口から浄水器の内部に入る恐れがある。その結果、浄水器の内部が汚染されてしまう。したがって、定期的に浄水器に対し物理的な洗浄処理（順流洗浄及び逆流洗浄）を行わなければならない。一般的には、浄水器を出荷するとき、取扱説明書において、異なる地域の水質について異なる洗浄周期を設定することが記載され、これにより、ユーザに、自分自身の所在地域を考慮し、自発的に洗浄周期を特定して浄水器を洗浄することを知らせる。
【０００５】
発明者は、従来技術において、少なくとも以下の問題点があると発見した。
【０００６】
ユーザが浄水器を使用する過程において、洗浄周期に従い浄水器を洗浄することを忘れることに起因して、浄水器における細菌の含有量が標準を越えて、浄水器が水源を浄化するという機能を果していない恐れがある。
【発明の概要】
【発明が解決しようとする課題】
【０００７】
関係技術の課題を解決するために、本発明の実施例は、スマート浄水器におけるユーザ通知方法及びその装置を提供する。前記技術案は、以下のようである。
【課題を解決するための手段】
【０００８】
本発明の実施例の的第１の態様によれば、スマート浄水器におけるユーザ通知方法を提供し、前記方法は、サーバが、浄水器から報告されたＴＤＳデータであって、浄水操作の後に検出されたＴＤＳデータを受信するステップと、前記ＴＤＳデータに基づいて、前記浄水器の対応する累積ＴＤＳデータであって、前記浄水器の直近一回に洗浄した後のＴＤＳデータ総増加量である累積ＴＤＳデータを算出するステップと、前記浄水器の対応する累積ＴＤＳデータ及び所定の最大洗浄時間に基づいて、現在状態の前記浄水器の洗浄周期を算出するステップと、前記洗浄周期が所定条件を満たす場合、前記浄水器に繋がる端末にプロンプトメッセージを送信することにより、前記浄水器を洗浄する必要があることをユーザに通知するステップと、を含む。
【０００９】
第１の態様の第１の実現可能な形態において、前記サーバが、浄水器から報告された、浄水操作の後に検出されたＴＤＳデータを受信するステップは、サーバが、浄水器から報告された、浄水操作の後に検出された給水ＴＤＳデータ及び出水ＴＤＳデータを受信するステップ、または、サーバが、浄水器から報告された、浄水操作の後に検出された給水ＴＤＳデータ及び出水ＴＤＳデータに基づいて算出された増量ＴＤＳデータを受信するステップを含む。
【００１０】
第１の態様の第２の実現可能な形態において、現在状態の前記浄水器の洗浄周期を算出するステップの後、前記方法は、さらに、現在日付と前記浄水器の対応する直近一回の洗浄日付との差が前記洗浄周期以上である場合、前記洗浄周期が所定条件を満たすと判定するステップを含む。
【００１１】
第１の態様の第３の実現可能な形態において、前記方法は、さらに、浄水器から報告された洗浄イベント情報を受信するステップと、前記洗浄イベント情報に基づいて、前記浄水器の対応する直近一回の洗浄日付を更新するステップと、を含む。
【００１２】
第１の態様の第３の実現可能な形態を組み合わせて、第４の実現可能な形態において、前記浄水器の対応する直近一回の洗浄日付を更新するステップの後、前記方法は、さらに、前記浄水器の対応する累積ＴＤＳデータをゼロクリア処理するステップを含む。
【００１３】
本発明の実施例の第２の態様によれば、スマート浄水器におけるユーザ通知方法を提供し、前記方法は、浄水器が、浄水操作を行った後、浄水操作を行った後に検出したＴＤＳデータを取得するステップと、前記ＴＤＳデータをサーバに送信することにより、前記サーバが前記ＴＤＳデータに基づいて前記浄水器に繋がる端末にプロンプトメッセージを送信するステップと、を含む。
【００１４】
第２の態様の第１の実現可能な形態において、前記浄水器が、浄水操作を行った後に検出したＴＤＳデータを取得するステップは、前記浄水器が、浄水操作を行った後に検出した給水ＴＤＳデータ及び出水ＴＤＳデータを取得するステップを含み、前記ＴＤＳデータをサーバに送信するステップは、前記給水ＴＤＳデータ及び前記出水ＴＤＳデータをサーバに送信するステップを含む。
【００１５】
第２の態様の第２の実現可能な形態において、前記浄水器が、浄水操作を行った後に検出したＴＤＳデータを取得するステップは、前記浄水器が、浄水操作を行った後に検出した給水ＴＤＳデータ及び出水ＴＤＳデータを取得するステップと、前記給水ＴＤＳデータ及び前記出水ＴＤＳデータに基づいて、増量ＴＤＳデータを算出するステップと、を含み、前記ＴＤＳデータをサーバに送信するステップは、前記増量ＴＤＳデータをサーバに送信するステップを含む。
【００１６】
第２の態様の第３の実現可能な形態において、前記方法は、さらに、前記浄水器が洗浄イベントをトリガしたと検出する場合、前記サーバに洗浄イベント情報を送信するステップを含む。
【００１７】
本発明の実施例の第３の態様によれば、スマート浄水器におけるユーザ通知装置を提供し、前記装置は、サーバが、浄水器から報告された、浄水操作の後に検出されたＴＤＳデータを受信するための第１の受信モジュールと、前記第１の受信モジュールにより受信された前記ＴＤＳデータに基づいて、前記浄水器の対応する、前記浄水器の直近一回に洗浄した後のＴＤＳデータ総増加量である累積ＴＤＳデータを算出するための第１の算出モジュールと、前記第１の算出モジュールにより算出された前記浄水器の対応する累積ＴＤＳデータ及び所定の最大洗浄時間に基づいて、現在状態の前記浄水器の洗浄周期を算出するための第２の算出モジュールと、前記第２の算出モジュールにより算出された前記洗浄周期が所定条件を満たす場合、前記浄水器に繋がる端末にプロンプトメッセージを送信することにより、前記浄水器を洗浄する必要があることをユーザに通知するための通知モジュールと、を含む。
【００１８】
第３の態様の第１の実現可能な形態において、前記第１の受信モジュールは、サーバが、浄水器から報告された、浄水操作の後に検出された給水ＴＤＳデータ及び出水ＴＤＳデータを受信するための第１の受信ユニットと、サーバが、浄水器から報告された、浄水操作の後に検出された給水ＴＤＳデータ及び出水ＴＤＳデータに基づいて算出された増量ＴＤＳデータを受信するための第２の受信ユニットと、を含む。
【００１９】
第３の態様の第２の実現可能な形態において、前記装置は、さらに、現在日付と前記浄水器の対応する直近一回の洗浄日付との差が前記第２の算出モジュールにより算出された前記洗浄周期以上である場合、前記洗浄周期が所定条件を満たすと判定するための特定モジュールを含む。
【００２０】
第３の態様の第３の実現可能な形態において、前記装置は、さらに、浄水器から報告された洗浄イベント情報を受信するための第２の受信モジュールと、前記第２の受信モジュールにより受信された前記洗浄イベント情報に基づいて、前記浄水器の対応する直近一回の洗浄日付を更新するための更新モジュールと、を含む。
【００２１】
第３の態様の第３の実現可能な形態を組み合わせて、第４の実現可能な形態において、前記装置は、さらに、前記浄水器の対応する累積ＴＤＳデータをゼロクリア処理するための処理モジュールを含む。
【００２２】
本発明の実施例の第４の態様によれば、スマート浄水器におけるユーザ通知装置を提供し、前記装置は、浄水器が浄水操作を行った後に、浄水操作を行った後に検出したＴＤＳデータを取得するための取得モジュールと、前記取得モジュールにより取得された前記ＴＤＳデータをサーバに送信することにより、前記サーバが前記ＴＤＳデータに基づいて前記浄水器に繋がる端末にプロンプトメッセージを送信するための第１の送信モジュールと、を含む。
【００２３】
第４の態様の第１の実現可能な形態において、前記取得モジュールは、前記浄水器が、浄水操作を行った後に検出した給水ＴＤＳデータ及び出水ＴＤＳデータを取得するための第１の取得ユニットを含み、前記第１の送信モジュールは、前記第１の取得ユニットにより取得された前記給水ＴＤＳデータ及び前記出水ＴＤＳデータをサーバに送信するための第１の送信ユニットを含む。
【００２４】
第４の態様の第２の実現可能な形態において、前記取得モジュールは、前記浄水器が、浄水操作を行った後に検出した給水ＴＤＳデータ及び出水ＴＤＳデータを取得するための第２の取得ユニットと、前記給水ＴＤＳデータ及び前記出水ＴＤＳデータに基づいて、増量ＴＤＳデータを算出するための算出ユニットと、を含み、前記第１の送信モジュールは、前記第１の取得ユニットにより取得された前記増量ＴＤＳデータをサーバに送信するための第２の送信ユニットを含む。
【００２５】
第４の態様の第３の実現可能な形態において、前記装置は、さらに、前記浄水器が洗浄イベントをトリガしたと検出する場合、前記サーバに洗浄イベント情報を送信するための第２の送信モジュールを含む。
【００２６】
本発明の実施例の第５の態様によれば、スマート浄水器におけるユーザ通知装置を提供し、前記装置は、プロセッサと、プロセッサにより実行可能な指令を記憶するメモリと、を備え、前記プロセッサは、サーバが、浄水器から報告された、浄水操作の後に検出されたＴＤＳデータを受信し、前記ＴＤＳデータに基づいて、前記浄水器の対応する、前記浄水器の直近一回に洗浄した後のＴＤＳデータ総増加量である累積ＴＤＳデータを算出し、前記浄水器の対応する累積ＴＤＳデータ、及び所定の最大洗浄時間に基づいて、現在状態の前記浄水器の洗浄周期を算出し、前記洗浄周期が所定条件を満たす場合、前記浄水器に繋がる端末にプロンプトメッセージを送信することにより、前記浄水器を洗浄する必要があることをユーザに通知する。
【００２７】
本発明の実施例の第６の態様によれば、スマート浄水器におけるユーザ通知装置を提供し、前記装置は、プロセッサと、プロセッサにより実行可能な指令を記憶するメモリと、を備え、前記プロセッサは、浄水器が浄水操作を行った後、浄水操作を行った後に検出されたＴＤＳデータを取得し、前記ＴＤＳデータをサーバに送信することにより、前記サーバが前記ＴＤＳデータに基づいて前記浄水器に繋がる端末にプロンプトメッセージを送信する。
【発明の効果】
【００２８】
本発明の実施例に係る技術案は、以下の有益な効果を有する。
【００２９】
浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【００３０】
以上の一般的な記述及び以下の詳細な記述は、例示のものに過ぎず、本開示を限定するものではないと理解すべきである。
【図面の簡単な説明】
【００３１】
ここでの図面は、明細書の一部分として明細書全体を構成することにより、本開示に合致する実施例を例示するとともに、明細書を結合し本開示の原理を解釈するためのものである。
【００３２】
【図１】本発明の一実施例におけるスマート浄水器におけるユーザ通知方法を例示的に示すフローチャートである。
【図２】本発明の一実施例におけるスマート浄水器におけるユーザ通知方法を例示的に示すフローチャートである。
【図３】本発明の一実施例におけるスマート浄水器におけるユーザ通知方法を例示的に示すフローチャートである。
【図４】本発明の一実施例におけるスマート浄水器におけるユーザ通知方法において洗浄イベントを報告することを例示的に示すフローチャートである。
【図５】本発明の一実施例におけるスマート浄水器におけるユーザ通知装置を例示的に示すブロック図である。
【図６】本発明の一実施例におけるスマート浄水器におけるユーザ通知装置を例示的に示すブロック図である。
【図７】本発明の一実施例におけるスマート浄水器におけるユーザ通知装置を例示的に示すブロック図である。
【図８】本発明の一実施例におけるスマート浄水器におけるユーザ通知装置を例示的に示すブロック図である。
【発明を実施するための形態】
【００３３】
本発明の目的、技術案及び利点をより明確にするために、以下、添付図面を組み合わせて本発明の実施の形態をより詳細に説明する。
【００３４】
＜実施例１＞
本発明の実施例は、スマート浄水器におけるユーザ通知方法を提供し、この方法の実施例がサーバに応用される。図１を参照して、方法のフローは、以下のステップを含む。
【００３５】
ステップ１０１において、サーバは、浄水器が浄水操作を行った後に検出されたＴＤＳ（Ｔｏｔａｌ  ｄｉｓｓｏｌｖｅｄ  ｓｏｌｉｄｓ）データを受信する。
【００３６】
ステップ１０２において、ＴＤＳデータに基づいて、浄水器の対応する、浄水器が直近一回に洗浄を行った後のＴＤＳデータ総増加量である累積ＴＤＳデータを算出する。
【００３７】
ステップ１０３において、算出された累積ＴＤＳデータ及び所定の最大洗浄時間に基づいて、現在状態における浄水器の洗浄周期を算出する。
【００３８】
ステップ１０４において、洗浄周期が所定条件を満たす場合、浄水器に繋がる端末にプロンプトメッセージを送信することによって、浄水器を洗浄する必要があることをユーザに通知する。
【００３９】
本発明の実施例は、浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて、当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【００４０】
＜実施例２＞
本発明の実施例は、スマート浄水器におけるユーザ通知方法を提供し、本方法の実施例は浄水器に応用される。図２を参照して、方法フローは以下のステップを含む。
【００４１】
ステップ２０１において、浄水器が浄水操作を行った後、浄水器が浄水操作を行った後に検出されたＴＤＳデータを取得する。
【００４２】
ステップ２０２において、ＴＤＳデータをサーバに送信することにより、前記サーバが前記ＴＤＳデータに基づいて、前記浄水器に繋がる端末にプロンプトメッセージを送信する。
【００４３】
本発明の実施例は、浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【００４４】
＜実施例３＞
本発明の実施例は、スマート浄水器におけるユーザ通知方法を提供する。図３を参照して、方法フローは、以下のステップを含む。
【００４５】
ステップ３０１において、浄水器が浄水操作を行った後、浄水器が浄水操作を行った後に検出されたＴＤＳデータを取得する。
【００４６】
ＴＤＳ（Ｔｏｔａｌ  ｄｉｓｓｏｌｖｅｄ  ｓｏｌｉｄｓ）は、完全溶解固体物質とも称し、その測量単位がｍｇ／Ｌであり、１Ｌの水に溶解する溶解固体の質量（ｍｇ）を表す。ＴＤＳの値が高いほど、水に含まれる不純物が多い。浄水器内の細菌生成は、主に時間及び不純物の堆積量に関わっているため、本発明の実施例において、ＴＤＳデータを、サーバがユーザに浄水器を洗浄すべきことを通知する依拠として選択する。
【００４７】
浄水器の給水口と出水口には、それぞれ、給水口のＴＤＳと出水口のＴＤＳを検出して給水ＴＤＳデータと出水ＴＤＳデータを得るための検出ユニットが配置される。浄水器は、給水口から給水される水に対し浄化処理を行うため、毎回浄水器が浄水操作を行った後、当該浄水操作において出水口に対する検出で検出された出水ＴＤＳデータが給水口で検出された給水ＴＤＳデータより小さい。
【００４８】
本発明の実施例において、浄水器がサーバに報告するＴＤＳデータは、以下の２種類を含む。
【００４９】
ＴＤＳデータの第１の種類は、給水ＴＤＳデータ及び出水ＴＤＳデータを、報告するＴＤＳデータとする。
【００５０】
それに対して、ステップ３０１は、以下のステップを含む。
【００５１】
ステップ３０１１において、浄水器が浄水操作を行った後に検出された給水ＴＤＳデータと出水ＴＤＳデータを取得する。
【００５２】
ＴＤＳデータの第２の種類は、給水ＴＤＳデータ及び出水ＴＤＳデータに基づいて算出して得られた増量ＴＤＳデータを、報告するＴＤＳデータとする。
【００５３】
ここで、増量ＴＤＳデータは、「（給水ＴＤＳデータ）−（出水ＴＤＳデータ）」の式で算出される。
【００５４】
それに対して、ステップ３０１は、以下のステップを含む。
【００５５】
ステップ３０１２において、浄水器が浄水操作を行った後に検出された給水ＴＤＳデータと出水ＴＤＳデータとを取得する。
【００５６】
ステップ３０１３において、給水ＴＤＳデータ及び出水ＴＤＳデータに基づいて、増量ＴＤＳデータを算出する。
【００５７】
上記の２種類の報告するＴＤＳデータについて、浄水器は、ユーザが毎回浄水器で浄水操作を行った後に、報告すべきＴＤＳ（Ｔｏｔａｌ  ｄｉｓｓｏｌｖｅｄ  ｓｏｌｉｄｓ）データをサーバに報告する。浄水器は、浄水操作を行う毎に今回報告すべきＴＤＳデータを記録するとともに、使用回数が所定回数に達した場合、上記所定回数に対応する、報告すべき各ＴＤＳデータを、サーバに報告することもできる。浄水器は、浄水操作を行う毎に今回報告すべきＴＤＳデータを記録するとともに、所定の時間周期に達する場合、上記所定周期内に記録された報告すべき各ＴＤＳデータをサーバに報告することもできる。
【００５８】
ステップ３０２において、ＴＤＳデータをサーバに送信することによって、前記サーバが前記ＴＤＳデータに基づいて前記浄水器に繋がる端末にプロンプトメッセージを送信する。
【００５９】
それに対して、ステップ３０１における第１の種類の報告するＴＤＳデータについて、ステップ３０２は、以下のステップを含む。
【００６０】
ステップ３０２１において、給水ＴＤＳデータと出水ＴＤＳデータとをサーバに送信する。
【００６１】
それに対して、ステップ３０１における第２の種類の報告するＴＤＳデータについて、ステップ３０２は、以下のステップを含む。
【００６２】
ステップ３０２２において、増量ＴＤＳデータをサーバに送信する。
【００６３】
ステップ３０３において、サーバは、浄水器から報告された、浄水操作の後に検出されたＴＤＳデータを受信する。
【００６４】
ステップ３０１における第１の種類の報告するＴＤＳデータについて、ステップ３０３は、以下のステップを含む。
【００６５】
ステップ３０３１において、サーバは、浄水器から報告された、浄水操作の後に検出された給水ＴＤＳデータと出水ＴＤＳデータを受信する。
【００６６】
ステップ３０１における第２の種類の報告するＴＤＳデータについて、ステップ３０２は、以下のステップを含む。
【００６７】
ステップ３０３２において、サーバは、浄水器から報告された、浄水操作の後に検出された給水ＴＤＳデータと出水ＴＤＳデータとに基づいて算出して得られた増量ＴＤＳデータを受信する。
【００６８】
ステップ３０４において、ＴＤＳデータに基づいて、浄水器の対応する、浄水器の直近一回洗浄した後のＴＤＳデータ総増加量である累積ＴＤＳデータを算出する。
【００６９】
ここで、サーバには、浄水器のＩＤと累積ＴＤＳデータとの対応関係が保存されており、当該対応関係に、サーバに登録された各浄水器の直近一回洗浄した後に累積したＴＤＳデータが保存されている。
【００７０】
各浄水器の対応する累積ＴＤＳデータの累積過程は、以下のようである。
【００７１】
ステップ３０１における第１の種類の報告するＴＤＳデータについて、サーバは、浄水器の毎回に報告したＴＤＳデータにおける給水ＴＤＳデータと出水ＴＤＳデータとに基づいて、増量ＴＤＳデータを算出するとともに、当該増量ＴＤＳデータを、当該浄水器の対応する累積ＴＤＳデータに累計する。
【００７２】
ステップ３０１における第２の種類の報告するＴＤＳデータについて、サーバは、浄水器の毎回に報告したＴＤＳデータに基づいて、増量ＴＤＳデータを、当該浄水器の対応する累積ＴＤＳデータに累計する。
【００７３】
ステップ３０５において、浄水器の対応する累積ＴＤＳデータ及び所定の最大洗浄時間に基づいて、現在状態における浄水器の洗浄周期を算出する。
【００７４】
ステップ３０５は、順序に従って、ステップ３０４を実行した後に、直接的に算出を行うこともできるし、毎日の所定時間において算出を行うこともできる。
【００７５】
ここで、算出する式は、以下のようである。
【００７６】
ｄａｙｓ ＝ ｄａｙｓ＿ｍａｘ − ｐｏｗｅｒ（１＋（Σｄａｙ＿ｄｉｒｔ）／ｐ２，ｐ３）
【００７７】
ここで、ｄａｙｓが最終的に算出して得られた洗浄周期であり、ｄａｙｓ＿ｍａｘが所定の最大洗浄時間であり、Σｄａｙ＿ｄｉｒｔが浄水器の直近一回に洗浄した後のＴＤＳデータ総増加量であり、ｐ２が所定の第１定数であり、ｐ３が所定の第２定数であり、ｐｏｗｅｒ（ａ，ｂ）関数がａのｂ乗、即ち、ａｂを算出するために用いられる。
【００７８】
ステップ３０６において、現在日付と浄水器の対応する直近一回の洗浄日付との差が洗浄周期以上である場合、洗浄周期が所定条件を満たすとする。
【００７９】
例えば、現在日付が７月６日であり、直近一回の洗浄日付が７月１日であり、算出して得られた洗浄周期が１０である場合、現在日付と直近一回の洗浄日付との差が５で、洗浄周期１０より小さいため、現在当該浄水器が洗浄を必要なく、且つ、浄水器に繋がる端末にプロンプトメッセージを送信する必要なく、引き続きステップ３０１〜ステップ３０５のプロセスを繰り返すことができる、ということを表す。
【００８０】
現在日付が７月８日であり、直近一回の洗浄日付が７月１日であり、算出して得られた洗浄周期が７である場合、現在日付と直近の洗浄日付との差が７で、洗浄周期７に等しいため、現在に当該浄水器は洗浄を必要とし、プロンプトメッセージを送信する所定条件を既に満たした、ということを表す。
【００８１】
ステップ３０７において、洗浄周期が所定条件を満たすと、浄水器に繋がる端末にプロンプトメッセージを送信することによって、浄水器を洗浄する必要があることをユーザに通知する。
【００８２】
サーバには、予め浄水器のＩＤと端末のＩＤとの関連関係が保存されており、当該関連関係は浄水器が最初に使用される際にサーバに登録して保存されるものである。
【００８３】
浄水器のＩＤに基づいて端末のＩＤを検索するとともに、端末のＩＤに基づいてユーザに通知するように端末にプロンプトメッセージを送信し、当該プロンプトメッセージの内容は、「浄水器に累積された不純物が多すぎますので、直ちに浄水器を洗浄してください」であってもよい。
【００８４】
浄水器が洗浄イベントを報告した後、サーバは、洗浄イベントが報告された浄水器のＩＤに基づいて、浄水器と累積ＴＤＳデータとの対応関係における当該浄水器の対応する累積ＴＤＳデータをゼロクリア処理することによって、現在時間から累積し始め、次回当該浄水器を洗浄するまでの時間周期を特定する。
【００８５】
それに対して、本発明の実施例は、さらに、スマート浄水器におけるユーザ通知方法における洗浄イベントを報告する方法を提供し、図４を参照して、方法フローは、以下のステップを含む。
【００８６】
ステップ４０１において、浄水器は、洗浄イベントがトリガされたと検出すると、サーバに洗浄イベント情報を送信する。
【００８７】
洗浄イベントのトリガは、ユーザが浄水器を分解する際にハードウェアの分解でソフトウェアプログラムに記述される洗浄イベントをトリガする過程であってもよく、ここで、洗浄イベントをトリガする手段を限定しない。
【００８８】
ここで、洗浄イベント情報には、浄水器のＩＤが含まれる。
【００８９】
ステップ４０２において、サーバは、浄水器の報告した洗浄イベント情報を受信する。
【００９０】
ステップ４０３において、洗浄イベント情報に基づいて、それに対応する浄水器の直近一回の洗浄日付を更新する。
【００９１】
ここで、サーバは、浄水器のＩＤに基づいて、当該浄水器の対応する、浄水器の毎回の洗浄日付を含む洗浄履歴を検索し、ここでの直近一回の洗浄日付を現在日付に変更する。
【００９２】
ステップ４０４において、浄水器の対応する累積ＴＤＳデータをゼロクリア処理する。
【００９３】
サーバは、浄水器のＩＤに基づいて、浄水器のＩＤと累積ＴＤＳデータとの対応関係から当該浄水器の対応する累積ＴＤＳデータを検索するとともに、当該データをゼロクリア処理することによって、当該浄水器が洗浄された後に再びＴＤＳデータを累積する。
【００９４】
本発明の実施例は、浄水器が浄水操作を行った後に検出されたＴＤＳデータをサーバに報告し、サーバが当該ＴＤＳデータに基づいて、当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【００９５】
＜実施例４＞
本発明の実施例は、スマート浄水器におけるユーザ通知装置を提供し、図５を参照して、当該装置は、サーバが、浄水器から報告された浄水操作の後に検出されたＴＤＳデータを受信するための第１の受信モジュール５０１と、第１の受信モジュールにより受信されたＴＤＳデータに基づいて、浄水器の対応する、浄水器の直近一回に洗浄した後のＴＤＳデータ総増加量である累積ＴＤＳデータを算出するための第１の算出モジュール５０２と、第１の算出モジュールにより算出された浄水器の対応する累積ＴＤＳデータ及び所定の最大洗浄時間に基づいて、現在状態における浄水器の洗浄周期を算出するための第２の算出モジュール５０３と、第２の算出モジュールにより算出された洗浄周期が所定条件を満たす場合、浄水器に繋がる端末にプロンプトメッセージを送信することによって、浄水器を洗浄する必要があることをユーザに通知するための通知モジュール５０４と、を含む。
【００９６】
ここで、第１の受信モジュール５０１は、サーバが、浄水器から報告された浄水操作の後に検出された給水ＴＤＳデータと出水ＴＤＳデータを受信するための第１の受信ユニットと、サーバが、浄水器から報告された浄水操作の後に検出された給水ＴＤＳデータと出水ＴＤＳデータとに基づいて算出した増量ＴＤＳデータを受信するための第２の受信ユニットと、を含む。
【００９７】
ここで、装置は、さらに、現在日付と浄水器の対応する直近一回の洗浄日付との差が第２の算出モジュールにより算出された洗浄周期以上である場合、洗浄周期が所定条件を満たすと特定するための特定モジュール５０５を含む。
【００９８】
ここで、装置は、さらに、浄水器の報告した洗浄イベント情報を受信するための第２の受信モジュール５０６と、第２の受信モジュールの受信した洗浄イベント情報に基づいて、浄水器の対応する直近一回の洗浄日付を更新するための更新モジュール５０７と、を含む。
【００９９】
ここで、装置は、さらに、浄水器の対応する累積ＴＤＳデータをゼロクリア処理するための処理モジュール５０８を含む。
【０１００】
本発明の実施例は、浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【０１０１】
＜実施例５＞
本発明の実施例は、スマート浄水器におけるユーザ通知装置を提供し、図６を参照して、当該装置は、浄水器が浄水操作を行った後に、浄水操作の後に検出されたＴＤＳデータを取得するための取得モジュール６０１と、取得モジュールにより取得されたＴＤＳデータをサーバに送信することによって、前記サーバが前記ＴＤＳデータに基づいて前記浄水器に繋がる端末にプロンプトメッセージを送信するための第１の送信モジュール６０２と、を含む。
【０１０２】
ここで、取得モジュール６０１は、浄水器が浄水操作を行った後に検出された給水ＴＤＳデータと出水ＴＤＳデータを取得するための第１の取得ユニットを含む。
【０１０３】
それに対して、第１の送信モジュール６０２は、第１の取得ユニットにより取得された給水ＴＤＳデータと出水ＴＤＳデータをサーバに送信するための第１の送信ユニットを含む。
【０１０４】
ここで、取得モジュール６０１は、浄水器が浄水操作を行った後に検出された給水ＴＤＳデータと出水ＴＤＳデータを取得するための第２の取得ユニットと、給水ＴＤＳデータと出水ＴＤＳデータに基づいて増量ＴＤＳデータを算出するための算出ユニットと、を含む。
【０１０５】
それに対して、第１の送信モジュール６０２は、第１の取得ユニットにより取得された増量ＴＤＳデータをサーバに送信する第２の送信ユニットを含む。
【０１０６】
ここで、装置は、さらに、浄水器は、洗浄イベントがトリガされたと検出すると、サーバに洗浄イベント情報を送信するための第２の送信モジュール６０３を含む。
【０１０７】
本発明の実施例は、浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【０１０８】
＜実施例６＞
図７は、一実施例におけるスマート浄水器におけるユーザ通知装置１９００を例示的示すブロック図である。例えば、装置１９００としてサーバを提供することができる。図７を参照して、装置１９００は、１つ又は複数のプロセッサを含むプロセスアセンブリ１９２２と、メモリ１９３２が代表となり、例えばアプリケーションなどのプロセスアセンブリ１９２２により実行可能なコマンドを記憶するメモリソースと、を備える。メモリ１９３２内に記憶されたアプリケーションは、１つ又は１つ以上のモジュールを含み、当該１つ又は１つ以上のモジュールは、それぞれ１組のコマンドに対応する。なお、プロセスアセンブリ１９２２はコマンドを実行するように構成され、これにより、上記連絡先を推薦する方法を実行する。
【０１０９】
装置１９００は、さらに、装置１９００の給電管理を行うための電源アセンブリ１９２６と、装置１９８００とネットワークとを接続するための有線又は無線のネットワークインターフェース１９５０と、入出力（Ｉ／Ｏ）インターフェース１９５８とを備える。装置１９００は、例えば、Ｗｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭなどの、メモリ１９３２に記憶されたオペレーティング・システムにおいて操作を行うことができる。
【０１１０】
本発明の実施例は、浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【０１１１】
＜実施例７＞
図８は、一実施例におけるスマート浄水器におけるユーザ通知装置８００を例示的に示すブロック図である。例えば、装置８００は携帯電話、コンピュータ、デジタル放送端末、メッセージ受発信手段、ゲームコンソール、タブレットデバイス、医療機器、フィットネス機器、パーソナルデジタルアシスタント等であってもよい。
【０１１２】
図８を参照して、装置８００は、プロセスアセンブリ８０２、メモリ８０４、電源アセンブリ８０６、マルチメディアアセンブリ８０８、オーディオアセンブリ８１０、入出力（Ｉ／Ｏ）インターフェース８１２、センサアセンブリ８１４、及び通信アセンブリ８１６のような一つ以上のアセンブリを含んでよい。
【０１１３】
プロセスアセンブリ８０２は、一般的には装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或いは一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【０１１４】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１１５】
電源アセンブリ８０６は、装置８００の多様なアセンブリに電力を供給する。電源アセンブリ８０６は、電源管理システム、一つ以上の電源、及び装置８００のための電力の生成、管理及び割り当てに関連する他のアセンブリを含んでもよい。
【０１１６】
マルチメディアアセンブリ８０８は、前記装置８００とユーザの間に一つの出力インターフェースを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディアアセンブリ８０８は、一つのフロントカメラ、及び／又はリアーカメラを含む。装置８００が、例えば撮影モード、或いはビデオモード等の操作モードにある場合、フロントカメラ、及び／又はリアーカメラは外部からマルチメディアデータを受信できる。フロントカメラとリアーカメラのそれぞれは、一つの固定型の光レンズ系、或いは可変焦点距離と光学ズーム機能を有するものであってもよい。
【０１１７】
オーディオアセンブリ８１０は、オーディオ信号をインターフェースするように構成されてもよい。例えば、オーディオアセンブリ８１０は、一つのマイク（ＭＩＣ）を含み、装置８００、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【０１１８】
Ｉ／Ｏインターフェース８１２は、プロセスアセンブリ８０２と周辺インターフェースモジュールの間にインターフェースを提供するものであり、上記周辺インターフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１１９】
センサアセンブリ８１４は、装置８００に各方面の状態に対する評価を提供するための一つ以上のセンサを含む。例えば、センサアセンブリ８１４は、装置８００のＯＮ／ＯＦＦ状態、装置８００のディスプレイとキーパッドのようなアセンブリの相対的な位置決めを検出できる。また、例えば、センサアセンブリ８１４は、装置８００、或いは装置８００の一つのアセンブリの位置変更、ユーザと装置８００とが接触しているか否か、装置８００の方位、又は加速／減速、装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【０１２０】
通信アセンブリ８１６は、装置８００と他の機器の間に有線、又は無線形態の通信を提供する。装置８００は、例えばＷｉＦｉ、２Ｇ、３Ｇ、或いはこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１２１】
例示的な実施例において、装置８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１２２】
例示的な実施例において、さらに、命令を含む非一時的なコンピュータで読み取り可能な記憶媒体、例えば命令を含むメモリ８０４を提供しており、装置８００のプロセッサ８２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【０１２３】
本発明の実施例は、浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【０１２４】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１２５】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
2017506153.tif 000003
【図２】
2017506153.tif 000004
【図３】
2017506153.tif 000005
【図４】
2017506153.tif 000006
【図５】
2017506153.tif 000007
【図６】
2017506153.tif 000008
【図７】
2017506153.tif 000009
【図８】
2017506153.tif 000010
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
サーバが、浄水器から報告されたＴＤＳデータであって、浄水操作の後に検出されたＴＤＳデータを受信するステップと、
前記ＴＤＳデータに基づいて、前記浄水器の対応する累積ＴＤＳデータであって、前記浄水器の直近一回に洗浄した後のＴＤＳデータ総増加量である累積ＴＤＳデータを算出するステップと、
前記浄水器の対応する累積ＴＤＳデータ及び所定の最大洗浄時間に基づいて、現在状態の前記浄水器の洗浄周期を算出するステップと、
前記洗浄周期が所定条件を満たす場合、前記浄水器に繋がる端末にプロンプトメッセージを送信することにより、前記浄水器を洗浄する必要があることをユーザに通知するステップと、を含む
ことを特徴とするスマート浄水器におけるユーザ通知方法。
【請求項２】
前記サーバが、浄水器から報告された、浄水操作の後に検出されたＴＤＳデータを受信するステップは、
サーバが、浄水器から報告された、浄水操作の後に検出された給水ＴＤＳデータ及び出水ＴＤＳデータを受信するステップ、
または、
サーバが、浄水器から報告された、浄水操作の後に検出された給水ＴＤＳデータ及び出水ＴＤＳデータに基づいて算出された増量ＴＤＳデータを受信するステップを含む
ことを特徴とする請求項１に記載のスマート浄水器におけるユーザ通知方法。
【請求項３】
現在状態の前記浄水器の洗浄周期を算出するステップの後、さらに、
現在日付と前記浄水器の対応する直近一回の洗浄日付との差が前記洗浄周期以上である場合、前記洗浄周期が所定条件を満たすと判定するステップを含む
ことを特徴とする請求項１に記載のスマート浄水器におけるユーザ通知方法。
【請求項４】
さらに、
浄水器から報告された洗浄イベント情報を受信するステップと、
前記洗浄イベント情報に基づいて、前記浄水器の対応する直近一回の洗浄日付を更新するステップと、を含む
ことを特徴とする請求項１に記載のスマート浄水器におけるユーザ通知方法。
【請求項５】
前記浄水器の対応する直近一回の洗浄日付を更新するステップの後、さらに、
前記浄水器の対応する累積ＴＤＳデータをゼロクリア処理するステップを含む
ことを特徴とする請求項４に記載のスマート浄水器におけるユーザ通知方法。
【請求項６】
浄水器が、浄水操作を行った後、浄水操作を行った後に検出したＴＤＳデータを取得するステップと、
前記ＴＤＳデータをサーバに送信することにより、前記サーバが前記ＴＤＳデータに基づいて前記浄水器に繋がる端末にプロンプトメッセージを送信するステップと、を含む
ことを特徴とするスマート浄水器におけるユーザ通知方法。
【請求項７】
前記浄水器が、浄水操作を行った後に検出したＴＤＳデータを取得するステップは、
前記浄水器が、浄水操作を行った後に検出した給水ＴＤＳデータ及び出水ＴＤＳデータを取得するステップを含み、
前記ＴＤＳデータをサーバに送信するステップは、
前記給水ＴＤＳデータ及び前記出水ＴＤＳデータをサーバに送信するステップを含む
ことを特徴とする請求項６に記載のスマート浄水器におけるユーザ通知方法。
【請求項８】
前記浄水器が、浄水操作を行った後に検出したＴＤＳデータを取得するステップは、
前記浄水器が、浄水操作を行った後に検出した給水ＴＤＳデータ及び出水ＴＤＳデータを取得するステップと、
前記給水ＴＤＳデータ及び前記出水ＴＤＳデータに基づいて、増量ＴＤＳデータを算出するステップと、を含み
前記ＴＤＳデータをサーバに送信するステップは、
前記増量ＴＤＳデータをサーバに送信するステップを含む
ことを特徴とする請求項６に記載のスマート浄水器におけるユーザ通知方法。
【請求項９】
さらに、
前記浄水器が洗浄イベントをトリガしたと検出する場合、前記サーバに洗浄イベント情報を送信するステップを含む
ことを特徴とする請求項６に記載のスマート浄水器におけるユーザ通知方法。
【請求項１０】
サーバが、浄水器から報告された、浄水操作の後に検出されたＴＤＳデータを受信するための第１の受信モジュールと、
前記第１の受信モジュールにより受信された前記ＴＤＳデータに基づいて、前記浄水器の対応する、前記浄水器の直近一回に洗浄した後のＴＤＳデータ総増加量である累積ＴＤＳデータを算出するための第１の算出モジュールと、
前記第１の算出モジュールにより算出された前記浄水器の対応する累積ＴＤＳデータ及び所定の最大洗浄時間に基づいて、現在状態の前記浄水器の洗浄周期を算出するための第２の算出モジュールと、
前記第２の算出モジュールにより算出された前記洗浄周期が所定条件を満たす場合、前記浄水器に繋がる端末にプロンプトメッセージを送信することにより、前記浄水器を洗浄する必要があることをユーザに通知するための通知モジュールと、を含む
ことを特徴とするスマート浄水器におけるユーザ通知装置。
【請求項１１】
前記第１の受信モジュールは、
サーバが、浄水器から報告された、浄水操作の後に検出された給水ＴＤＳデータ及び出水ＴＤＳデータを受信するための第１の受信ユニットと、
サーバが、浄水器から報告された、浄水操作の後に検出された給水ＴＤＳデータ及び出水ＴＤＳデータに基づいて算出された増量ＴＤＳデータを受信するための第２の受信ユニットと、を含む
ことを特徴とする請求項１０に記載のスマート浄水器におけるユーザ通知装置。
【請求項１２】
さらに、
現在日付と前記浄水器の対応する直近一回の洗浄日付との差が前記第２の算出モジュールにより算出された前記洗浄周期以上である場合、前記洗浄周期が所定条件を満たすと判定するための特定モジュールを含む
ことを特徴とする請求項１０に記載のスマート浄水器におけるユーザ通知装置。
【請求項１３】
さらに、
浄水器から報告された洗浄イベント情報を受信するための第２の受信モジュールと、
前記第２の受信モジュールにより受信された前記洗浄イベント情報に基づいて、前記浄水器の対応する直近一回の洗浄日付を更新するための更新モジュールと、を含む
ことを特徴とする請求項１０に記載のスマート浄水器におけるユーザ通知装置。
【請求項１４】
さらに、
前記浄水器の対応する累積ＴＤＳデータをゼロクリア処理するための処理モジュールを含む
ことを特徴とする請求項１３に記載のスマート浄水器におけるユーザ通知装置。
【請求項１５】
浄水器が浄水操作を行った後に、浄水操作を行った後に検出したＴＤＳデータを取得するための取得モジュールと、
前記取得モジュールにより取得された前記ＴＤＳデータをサーバに送信することにより、前記サーバが前記ＴＤＳデータに基づいて前記浄水器に繋がる端末にプロンプトメッセージを送信するための第１の送信モジュールと、を含む
ことを特徴とするスマート浄水器におけるユーザ通知装置。
【請求項１６】
前記取得モジュールは、
前記浄水器が、浄水操作を行った後に検出した給水ＴＤＳデータ及び出水ＴＤＳデータを取得するための第１の取得ユニットを含み、
前記第１の送信モジュールは、
前記第１の取得ユニットにより取得された前記給水ＴＤＳデータ及び前記出水ＴＤＳデータをサーバに送信するための第１の送信ユニットを含む
ことを特徴とする請求項１５に記載のスマート浄水器におけるユーザ通知装置。
【請求項１７】
前記取得モジュールは、
前記浄水器が、浄水操作を行った後に検出した給水ＴＤＳデータ及び出水ＴＤＳデータを取得するための第２の取得ユニットと、
前記給水ＴＤＳデータ及び前記出水ＴＤＳデータに基づいて、増量ＴＤＳデータを算出するための算出ユニットと、を含み、
前記第１の送信モジュールは、
前記第１の取得ユニットにより取得された前記増量ＴＤＳデータをサーバに送信するための第２の送信ユニットを含む
ことを特徴とする請求項１５に記載のスマート浄水器におけるユーザ通知装置。
【請求項１８】
さらに、
前記浄水器が洗浄イベントをトリガしたと検出する場合、前記サーバに洗浄イベント情報を送信するための第２の送信モジュールを含む
ことを特徴とする請求項１５に記載のスマート浄水器におけるユーザ通知装置。
【請求項１９】
プロセッサと、
プロセッサにより実行可能な指令を記憶するメモリと、を備え、
前記プロセッサは、
サーバが、浄水器から報告された、浄水操作の後に検出されたＴＤＳデータを受信し、
前記ＴＤＳデータに基づいて、前記浄水器の対応する、前記浄水器の直近一回に洗浄した後のＴＤＳデータ総増加量である累積ＴＤＳデータを算出し、
前記浄水器の対応する累積ＴＤＳデータ、及び所定の最大洗浄時間に基づいて、現在状態の前記浄水器の洗浄周期を算出し、
前記洗浄周期が所定条件を満たす場合、前記浄水器に繋がる端末にプロンプトメッセージを送信することにより、前記浄水器を洗浄する必要があることをユーザに通知する
ことを特徴とするスマート浄水器におけるユーザ通知装置。
【請求項２０】
プロセッサと、
プロセッサにより実行可能な指令を記憶するメモリと、を備え、
前記プロセッサは、
浄水器が浄水操作を行った後、浄水操作を行った後に検出されたＴＤＳデータを取得し、
前記ＴＤＳデータをサーバに送信することにより、前記サーバが前記ＴＤＳデータに基づいて前記浄水器に繋がる端末にプロンプトメッセージを送信する
ことを特徴とするスマート浄水器におけるユーザ通知装置。
【請求項２１】
プロセッサに実行されることにより、請求項１〜９のいずれか１項に記載のスマート浄水器におけるユーザ通知方法を実現することを特徴とするプログラム。
【請求項２２】
請求項２１に記載のプログラムが記録された記録媒体。
【手続補正２】
【補正対象書類名】明細書
【補正対象項目名】全文
【補正方法】変更
【補正の内容】
【発明の詳細な説明】
【関連出願の相互参照】
【０００１】
本願は、出願番号がＣＮ２０１４１０６０２４１６．０であって、出願日が２０１４年１０月３１日である中国特許出願に基づき優先権を主張し、当該中国特許出願のすべての内容を本願に援用する。
【技術分野】
【０００２】
本発明は、スマート家電分野に関し、特に、スマート浄水器におけるユーザ通知方法、その装置、プログラム及び記録媒体に関する。
【背景技術】
【０００３】
生活水準の向上に伴い、飲用水の品質は、ますます重視されていく。したがって、より多くの人は、水道水に含まれる各種の不純物及び細菌を浄化するために、自宅に浄水器を導入した。
【０００４】
浄水器の使用過程において、各種のろ過膜は、水圧の作用で糸切れが発生する可能性があるので、細菌がろ過膜を通過するか、または出水口から浄水器の内部に入る恐れがある。その結果、浄水器の内部が汚染されてしまう。したがって、定期的に浄水器に対し物理的な洗浄処理（順流洗浄及び逆流洗浄）を行わなければならない。一般的には、浄水器を出荷するとき、取扱説明書において、異なる地域の水質について異なる洗浄周期を設定することが記載され、これにより、ユーザに、自分自身の所在地域を考慮し、自発的に洗浄周期を特定して浄水器を洗浄することを知らせる。
【０００５】
発明者は、従来技術において、少なくとも以下の問題点があると発見した。
【０００６】
ユーザが浄水器を使用する過程において、洗浄周期に従い浄水器を洗浄することを忘れることに起因して、浄水器における細菌の含有量が標準を越えて、浄水器が水源を浄化するという機能を果していない恐れがある。
【発明の概要】
【発明が解決しようとする課題】
【０００７】
関係技術の課題を解決するために、本発明の実施例は、スマート浄水器におけるユーザ通知方法、その装置、プログラム及び記録媒体を提供する。前記技術案は、以下のようである。
【課題を解決するための手段】
【０００８】
本発明の実施例の的第１の態様によれば、スマート浄水器におけるユーザ通知方法を提供し、前記方法は、サーバが、浄水器から報告されたＴＤＳデータであって、浄水操作の後に検出されたＴＤＳデータを受信するステップと、前記ＴＤＳデータに基づいて、前記浄水器の対応する累積ＴＤＳデータであって、前記浄水器の直近一回に洗浄した後のＴＤＳデータ総増加量である累積ＴＤＳデータを算出するステップと、前記浄水器の対応する累積ＴＤＳデータ及び所定の最大洗浄時間に基づいて、現在状態の前記浄水器の洗浄周期を算出するステップと、前記洗浄周期が所定条件を満たす場合、前記浄水器に繋がる端末にプロンプトメッセージを送信することにより、前記浄水器を洗浄する必要があることをユーザに通知するステップと、を含む。
【０００９】
第１の態様の第１の実現可能な形態において、前記サーバが、浄水器から報告された、浄水操作の後に検出されたＴＤＳデータを受信するステップは、サーバが、浄水器から報告された、浄水操作の後に検出された給水ＴＤＳデータ及び出水ＴＤＳデータを受信するステップ、または、サーバが、浄水器から報告された、浄水操作の後に検出された給水ＴＤＳデータ及び出水ＴＤＳデータに基づいて算出された増量ＴＤＳデータを受信するステップを含む。
【００１０】
第１の態様の第２の実現可能な形態において、現在状態の前記浄水器の洗浄周期を算出するステップの後、前記方法は、さらに、現在日付と前記浄水器の対応する直近一回の洗浄日付との差が前記洗浄周期以上である場合、前記洗浄周期が所定条件を満たすと判定するステップを含む。
【００１１】
第１の態様の第３の実現可能な形態において、前記方法は、さらに、浄水器から報告された洗浄イベント情報を受信するステップと、前記洗浄イベント情報に基づいて、前記浄水器の対応する直近一回の洗浄日付を更新するステップと、を含む。
【００１２】
第１の態様の第３の実現可能な形態を組み合わせて、第４の実現可能な形態において、前記浄水器の対応する直近一回の洗浄日付を更新するステップの後、前記方法は、さらに、前記浄水器の対応する累積ＴＤＳデータをゼロクリア処理するステップを含む。
【００１３】
本発明の実施例の第２の態様によれば、スマート浄水器におけるユーザ通知方法を提供し、前記方法は、浄水器が、浄水操作を行った後、浄水操作を行った後に検出したＴＤＳデータを取得するステップと、前記ＴＤＳデータをサーバに送信することにより、前記サーバが前記ＴＤＳデータに基づいて前記浄水器に繋がる端末にプロンプトメッセージを送信するステップと、を含む。
【００１４】
第２の態様の第１の実現可能な形態において、前記浄水器が、浄水操作を行った後に検出したＴＤＳデータを取得するステップは、前記浄水器が、浄水操作を行った後に検出した給水ＴＤＳデータ及び出水ＴＤＳデータを取得するステップを含み、前記ＴＤＳデータをサーバに送信するステップは、前記給水ＴＤＳデータ及び前記出水ＴＤＳデータをサーバに送信するステップを含む。
【００１５】
第２の態様の第２の実現可能な形態において、前記浄水器が、浄水操作を行った後に検出したＴＤＳデータを取得するステップは、前記浄水器が、浄水操作を行った後に検出した給水ＴＤＳデータ及び出水ＴＤＳデータを取得するステップと、前記給水ＴＤＳデータ及び前記出水ＴＤＳデータに基づいて、増量ＴＤＳデータを算出するステップと、を含み、前記ＴＤＳデータをサーバに送信するステップは、前記増量ＴＤＳデータをサーバに送信するステップを含む。
【００１６】
第２の態様の第３の実現可能な形態において、前記方法は、さらに、前記浄水器が洗浄イベントをトリガしたと検出する場合、前記サーバに洗浄イベント情報を送信するステップを含む。
【００１７】
本発明の実施例の第３の態様によれば、スマート浄水器におけるユーザ通知装置を提供し、前記装置は、サーバが、浄水器から報告された、浄水操作の後に検出されたＴＤＳデータを受信するための第１の受信モジュールと、前記第１の受信モジュールにより受信された前記ＴＤＳデータに基づいて、前記浄水器の対応する、前記浄水器の直近一回に洗浄した後のＴＤＳデータ総増加量である累積ＴＤＳデータを算出するための第１の算出モジュールと、前記第１の算出モジュールにより算出された前記浄水器の対応する累積ＴＤＳデータ及び所定の最大洗浄時間に基づいて、現在状態の前記浄水器の洗浄周期を算出するための第２の算出モジュールと、前記第２の算出モジュールにより算出された前記洗浄周期が所定条件を満たす場合、前記浄水器に繋がる端末にプロンプトメッセージを送信することにより、前記浄水器を洗浄する必要があることをユーザに通知するための通知モジュールと、を含む。
【００１８】
第３の態様の第１の実現可能な形態において、前記第１の受信モジュールは、サーバが、浄水器から報告された、浄水操作の後に検出された給水ＴＤＳデータ及び出水ＴＤＳデータを受信するための第１の受信ユニットと、サーバが、浄水器から報告された、浄水操作の後に検出された給水ＴＤＳデータ及び出水ＴＤＳデータに基づいて算出された増量ＴＤＳデータを受信するための第２の受信ユニットと、を含む。
【００１９】
第３の態様の第２の実現可能な形態において、前記装置は、さらに、現在日付と前記浄水器の対応する直近一回の洗浄日付との差が前記第２の算出モジュールにより算出された前記洗浄周期以上である場合、前記洗浄周期が所定条件を満たすと判定するための特定モジュールを含む。
【００２０】
第３の態様の第３の実現可能な形態において、前記装置は、さらに、浄水器から報告された洗浄イベント情報を受信するための第２の受信モジュールと、前記第２の受信モジュールにより受信された前記洗浄イベント情報に基づいて、前記浄水器の対応する直近一回の洗浄日付を更新するための更新モジュールと、を含む。
【００２１】
第３の態様の第３の実現可能な形態を組み合わせて、第４の実現可能な形態において、前記装置は、さらに、前記浄水器の対応する累積ＴＤＳデータをゼロクリア処理するための処理モジュールを含む。
【００２２】
本発明の実施例の第４の態様によれば、スマート浄水器におけるユーザ通知装置を提供し、前記装置は、浄水器が浄水操作を行った後に、浄水操作を行った後に検出したＴＤＳデータを取得するための取得モジュールと、前記取得モジュールにより取得された前記ＴＤＳデータをサーバに送信することにより、前記サーバが前記ＴＤＳデータに基づいて前記浄水器に繋がる端末にプロンプトメッセージを送信するための第１の送信モジュールと、を含む。
【００２３】
第４の態様の第１の実現可能な形態において、前記取得モジュールは、前記浄水器が、浄水操作を行った後に検出した給水ＴＤＳデータ及び出水ＴＤＳデータを取得するための第１の取得ユニットを含み、前記第１の送信モジュールは、前記第１の取得ユニットにより取得された前記給水ＴＤＳデータ及び前記出水ＴＤＳデータをサーバに送信するための第１の送信ユニットを含む。
【００２４】
第４の態様の第２の実現可能な形態において、前記取得モジュールは、前記浄水器が、浄水操作を行った後に検出した給水ＴＤＳデータ及び出水ＴＤＳデータを取得するための第２の取得ユニットと、前記給水ＴＤＳデータ及び前記出水ＴＤＳデータに基づいて、増量ＴＤＳデータを算出するための算出ユニットと、を含み、前記第１の送信モジュールは、前記第１の取得ユニットにより取得された前記増量ＴＤＳデータをサーバに送信するための第２の送信ユニットを含む。
【００２５】
第４の態様の第３の実現可能な形態において、前記装置は、さらに、前記浄水器が洗浄イベントをトリガしたと検出する場合、前記サーバに洗浄イベント情報を送信するための第２の送信モジュールを含む。
【００２６】
本発明の実施例の第５の態様によれば、スマート浄水器におけるユーザ通知装置を提供し、前記装置は、プロセッサと、プロセッサにより実行可能な指令を記憶するメモリと、を備え、前記プロセッサは、サーバが、浄水器から報告された、浄水操作の後に検出されたＴＤＳデータを受信し、前記ＴＤＳデータに基づいて、前記浄水器の対応する、前記浄水器の直近一回に洗浄した後のＴＤＳデータ総増加量である累積ＴＤＳデータを算出し、前記浄水器の対応する累積ＴＤＳデータ、及び所定の最大洗浄時間に基づいて、現在状態の前記浄水器の洗浄周期を算出し、前記洗浄周期が所定条件を満たす場合、前記浄水器に繋がる端末にプロンプトメッセージを送信することにより、前記浄水器を洗浄する必要があることをユーザに通知する。
【００２７】
本発明の実施例の第６の態様によれば、スマート浄水器におけるユーザ通知装置を提供し、前記装置は、プロセッサと、プロセッサにより実行可能な指令を記憶するメモリと、を備え、前記プロセッサは、浄水器が浄水操作を行った後、浄水操作を行った後に検出されたＴＤＳデータを取得し、前記ＴＤＳデータをサーバに送信することにより、前記サーバが前記ＴＤＳデータに基づいて前記浄水器に繋がる端末にプロンプトメッセージを送信する。
本発明の実施例の第７の態様によれば、プロセッサに実行されることにより、前記スマート浄水器におけるユーザ通知方法を実現するプログラムを提供する。
本発明の実施例の第８の態様によれば、前記プログラムを記録した記録媒体を提供する。
【発明の効果】
【００２８】
本発明の実施例に係る技術案は、以下の有益な効果を有する。
【００２９】
浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【００３０】
以上の一般的な記述及び以下の詳細な記述は、例示のものに過ぎず、本開示を限定するものではないと理解すべきである。
【図面の簡単な説明】
【００３１】
ここでの図面は、明細書の一部分として明細書全体を構成することにより、本開示に合致する実施例を例示するとともに、明細書を結合し本開示の原理を解釈するためのものである。
【００３２】
【図１】本発明の一実施例におけるスマート浄水器におけるユーザ通知方法を例示的に示すフローチャートである。
【図２】本発明の一実施例におけるスマート浄水器におけるユーザ通知方法を例示的に示すフローチャートである。
【図３】本発明の一実施例におけるスマート浄水器におけるユーザ通知方法を例示的に示すフローチャートである。
【図４】本発明の一実施例におけるスマート浄水器におけるユーザ通知方法において洗浄イベントを報告することを例示的に示すフローチャートである。
【図５】本発明の一実施例におけるスマート浄水器におけるユーザ通知装置を例示的に示すブロック図である。
【図６】本発明の一実施例におけるスマート浄水器におけるユーザ通知装置を例示的に示すブロック図である。
【図７】本発明の一実施例におけるスマート浄水器におけるユーザ通知装置を例示的に示すブロック図である。
【図８】本発明の一実施例におけるスマート浄水器におけるユーザ通知装置を例示的に示すブロック図である。
【発明を実施するための形態】
【００３３】
本発明の目的、技術案及び利点をより明確にするために、以下、添付図面を組み合わせて本発明の実施の形態をより詳細に説明する。
【００３４】
＜実施例１＞
本発明の実施例は、スマート浄水器におけるユーザ通知方法を提供し、この方法の実施例がサーバに応用される。図１を参照して、方法のフローは、以下のステップを含む。
【００３５】
ステップ１０１において、サーバは、浄水器が浄水操作を行った後に検出されたＴＤＳ（Ｔｏｔａｌ  ｄｉｓｓｏｌｖｅｄ  ｓｏｌｉｄｓ）データを受信する。
【００３６】
ステップ１０２において、ＴＤＳデータに基づいて、浄水器の対応する、浄水器が直近一回に洗浄を行った後のＴＤＳデータ総増加量である累積ＴＤＳデータを算出する。
【００３７】
ステップ１０３において、算出された累積ＴＤＳデータ及び所定の最大洗浄時間に基づいて、現在状態における浄水器の洗浄周期を算出する。
【００３８】
ステップ１０４において、洗浄周期が所定条件を満たす場合、浄水器に繋がる端末にプロンプトメッセージを送信することによって、浄水器を洗浄する必要があることをユーザに通知する。
【００３９】
本発明の実施例は、浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて、当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【００４０】
＜実施例２＞
本発明の実施例は、スマート浄水器におけるユーザ通知方法を提供し、本方法の実施例は浄水器に応用される。図２を参照して、方法フローは以下のステップを含む。
【００４１】
ステップ２０１において、浄水器が浄水操作を行った後、浄水器が浄水操作を行った後に検出されたＴＤＳデータを取得する。
【００４２】
ステップ２０２において、ＴＤＳデータをサーバに送信することにより、前記サーバが前記ＴＤＳデータに基づいて、前記浄水器に繋がる端末にプロンプトメッセージを送信する。
【００４３】
本発明の実施例は、浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【００４４】
＜実施例３＞
本発明の実施例は、スマート浄水器におけるユーザ通知方法を提供する。図３を参照して、方法フローは、以下のステップを含む。
【００４５】
ステップ３０１において、浄水器が浄水操作を行った後、浄水器が浄水操作を行った後に検出されたＴＤＳデータを取得する。
【００４６】
ＴＤＳ（Ｔｏｔａｌ  ｄｉｓｓｏｌｖｅｄ  ｓｏｌｉｄｓ）は、完全溶解固体物質とも称し、その測量単位がｍｇ／Ｌであり、１Ｌの水に溶解する溶解固体の質量（ｍｇ）を表す。ＴＤＳの値が高いほど、水に含まれる不純物が多い。浄水器内の細菌生成は、主に時間及び不純物の堆積量に関わっているため、本発明の実施例において、ＴＤＳデータを、サーバがユーザに浄水器を洗浄すべきことを通知する依拠として選択する。
【００４７】
浄水器の給水口と出水口には、それぞれ、給水口のＴＤＳと出水口のＴＤＳを検出して給水ＴＤＳデータと出水ＴＤＳデータを得るための検出ユニットが配置される。浄水器は、給水口から給水される水に対し浄化処理を行うため、毎回浄水器が浄水操作を行った後、当該浄水操作において出水口に対する検出で検出された出水ＴＤＳデータが給水口で検出された給水ＴＤＳデータより小さい。
【００４８】
本発明の実施例において、浄水器がサーバに報告するＴＤＳデータは、以下の２種類を含む。
【００４９】
ＴＤＳデータの第１の種類は、給水ＴＤＳデータ及び出水ＴＤＳデータを、報告するＴＤＳデータとする。
【００５０】
それに対して、ステップ３０１は、以下のステップを含む。
【００５１】
ステップ３０１１において、浄水器が浄水操作を行った後に検出された給水ＴＤＳデータと出水ＴＤＳデータを取得する。
【００５２】
ＴＤＳデータの第２の種類は、給水ＴＤＳデータ及び出水ＴＤＳデータに基づいて算出して得られた増量ＴＤＳデータを、報告するＴＤＳデータとする。
【００５３】
ここで、増量ＴＤＳデータは、「（給水ＴＤＳデータ）−（出水ＴＤＳデータ）」の式で算出される。
【００５４】
それに対して、ステップ３０１は、以下のステップを含む。
【００５５】
ステップ３０１２において、浄水器が浄水操作を行った後に検出された給水ＴＤＳデータと出水ＴＤＳデータとを取得する。
【００５６】
ステップ３０１３において、給水ＴＤＳデータ及び出水ＴＤＳデータに基づいて、増量ＴＤＳデータを算出する。
【００５７】
上記の２種類の報告するＴＤＳデータについて、浄水器は、ユーザが毎回浄水器で浄水操作を行った後に、報告すべきＴＤＳ（Ｔｏｔａｌ  ｄｉｓｓｏｌｖｅｄ  ｓｏｌｉｄｓ）データをサーバに報告する。浄水器は、浄水操作を行う毎に今回報告すべきＴＤＳデータを記録するとともに、使用回数が所定回数に達した場合、上記所定回数に対応する、報告すべき各ＴＤＳデータを、サーバに報告することもできる。浄水器は、浄水操作を行う毎に今回報告すべきＴＤＳデータを記録するとともに、所定の時間周期に達する場合、上記所定周期内に記録された報告すべき各ＴＤＳデータをサーバに報告することもできる。
【００５８】
ステップ３０２において、ＴＤＳデータをサーバに送信することによって、前記サーバが前記ＴＤＳデータに基づいて前記浄水器に繋がる端末にプロンプトメッセージを送信する。
【００５９】
それに対して、ステップ３０１における第１の種類の報告するＴＤＳデータについて、ステップ３０２は、以下のステップを含む。
【００６０】
ステップ３０２１において、給水ＴＤＳデータと出水ＴＤＳデータとをサーバに送信する。
【００６１】
それに対して、ステップ３０１における第２の種類の報告するＴＤＳデータについて、ステップ３０２は、以下のステップを含む。
【００６２】
ステップ３０２２において、増量ＴＤＳデータをサーバに送信する。
【００６３】
ステップ３０３において、サーバは、浄水器から報告された、浄水操作の後に検出されたＴＤＳデータを受信する。
【００６４】
ステップ３０１における第１の種類の報告するＴＤＳデータについて、ステップ３０３は、以下のステップを含む。
【００６５】
ステップ３０３１において、サーバは、浄水器から報告された、浄水操作の後に検出された給水ＴＤＳデータと出水ＴＤＳデータを受信する。
【００６６】
ステップ３０１における第２の種類の報告するＴＤＳデータについて、ステップ３０３は、以下のステップを含む。
【００６７】
ステップ３０３２において、サーバは、浄水器から報告された、浄水操作の後に検出された給水ＴＤＳデータと出水ＴＤＳデータとに基づいて算出して得られた増量ＴＤＳデータを受信する。
【００６８】
ステップ３０４において、ＴＤＳデータに基づいて、浄水器の対応する、浄水器の直近一回洗浄した後のＴＤＳデータ総増加量である累積ＴＤＳデータを算出する。
【００６９】
ここで、サーバには、浄水器のＩＤと累積ＴＤＳデータとの対応関係が保存されており、当該対応関係に、サーバに登録された各浄水器の直近一回洗浄した後に累積したＴＤＳデータが保存されている。
【００７０】
各浄水器の対応する累積ＴＤＳデータの累積過程は、以下のようである。
【００７１】
ステップ３０１における第１の種類の報告するＴＤＳデータについて、サーバは、浄水器の毎回に報告したＴＤＳデータにおける給水ＴＤＳデータと出水ＴＤＳデータとに基づいて、増量ＴＤＳデータを算出するとともに、当該増量ＴＤＳデータを、当該浄水器の対応する累積ＴＤＳデータに累計する。
【００７２】
ステップ３０１における第２の種類の報告するＴＤＳデータについて、サーバは、浄水器の毎回に報告したＴＤＳデータに基づいて、増量ＴＤＳデータを、当該浄水器の対応する累積ＴＤＳデータに累計する。
【００７３】
ステップ３０５において、浄水器の対応する累積ＴＤＳデータ及び所定の最大洗浄時間に基づいて、現在状態における浄水器の洗浄周期を算出する。
【００７４】
ステップ３０５は、順序に従って、ステップ３０４を実行した後に、直接的に算出を行うこともできるし、毎日の所定時間において算出を行うこともできる。
【００７５】
ここで、算出する式は、以下のようである。
【００７６】
ｄａｙｓ ＝ ｄａｙｓ＿ｍａｘ − ｐｏｗｅｒ（１＋（Σｄａｙ＿ｄｉｒｔ）／ｐ２，ｐ３）
【００７７】
ここで、ｄａｙｓが最終的に算出して得られた洗浄周期であり、ｄａｙｓ＿ｍａｘが所定の最大洗浄時間であり、Σｄａｙ＿ｄｉｒｔが浄水器の直近一回に洗浄した後のＴＤＳデータ総増加量であり、ｐ２が所定の第１定数であり、ｐ３が所定の第２定数であり、ｐｏｗｅｒ（ａ，ｂ）関数がａのｂ乗、即ち、ａｂを算出するために用いられる。
【００７８】
ステップ３０６において、現在日付と浄水器の対応する直近一回の洗浄日付との差が洗浄周期以上である場合、洗浄周期が所定条件を満たすとする。
【００７９】
例えば、現在日付が７月６日であり、直近一回の洗浄日付が７月１日であり、算出して得られた洗浄周期が１０である場合、現在日付と直近一回の洗浄日付との差が５で、洗浄周期１０より小さいため、現在当該浄水器が洗浄を必要なく、且つ、浄水器に繋がる端末にプロンプトメッセージを送信する必要なく、引き続きステップ３０１〜ステップ３０５のプロセスを繰り返すことができる、ということを表す。
【００８０】
現在日付が７月８日であり、直近一回の洗浄日付が７月１日であり、算出して得られた洗浄周期が７である場合、現在日付と直近の洗浄日付との差が７で、洗浄周期７に等しいため、現在に当該浄水器は洗浄を必要とし、プロンプトメッセージを送信する所定条件を既に満たした、ということを表す。
【００８１】
ステップ３０７において、洗浄周期が所定条件を満たすと、浄水器に繋がる端末にプロンプトメッセージを送信することによって、浄水器を洗浄する必要があることをユーザに通知する。
【００８２】
サーバには、予め浄水器のＩＤと端末のＩＤとの関連関係が保存されており、当該関連関係は浄水器が最初に使用される際にサーバに登録して保存されるものである。
【００８３】
浄水器のＩＤに基づいて端末のＩＤを検索するとともに、端末のＩＤに基づいてユーザに通知するように端末にプロンプトメッセージを送信し、当該プロンプトメッセージの内容は、「浄水器に累積された不純物が多すぎますので、直ちに浄水器を洗浄してください」であってもよい。
【００８４】
浄水器が洗浄イベントを報告した後、サーバは、洗浄イベントが報告された浄水器のＩＤに基づいて、浄水器と累積ＴＤＳデータとの対応関係における当該浄水器の対応する累積ＴＤＳデータをゼロクリア処理することによって、現在時間から累積し始め、次回当該浄水器を洗浄するまでの時間周期を特定する。
【００８５】
それに対して、本発明の実施例は、さらに、スマート浄水器におけるユーザ通知方法における洗浄イベントを報告する方法を提供し、図４を参照して、方法フローは、以下のステップを含む。
【００８６】
ステップ４０１において、浄水器は、洗浄イベントがトリガされたと検出すると、サーバに洗浄イベント情報を送信する。
【００８７】
洗浄イベントのトリガは、ユーザが浄水器を分解する際にハードウェアの分解でソフトウェアプログラムに記述される洗浄イベントをトリガする過程であってもよく、ここで、洗浄イベントをトリガする手段を限定しない。
【００８８】
ここで、洗浄イベント情報には、浄水器のＩＤが含まれる。
【００８９】
ステップ４０２において、サーバは、浄水器の報告した洗浄イベント情報を受信する。
【００９０】
ステップ４０３において、洗浄イベント情報に基づいて、それに対応する浄水器の直近一回の洗浄日付を更新する。
【００９１】
ここで、サーバは、浄水器のＩＤに基づいて、当該浄水器の対応する、浄水器の毎回の洗浄日付を含む洗浄履歴を検索し、ここでの直近一回の洗浄日付を現在日付に変更する。
【００９２】
ステップ４０４において、浄水器の対応する累積ＴＤＳデータをゼロクリア処理する。
【００９３】
サーバは、浄水器のＩＤに基づいて、浄水器のＩＤと累積ＴＤＳデータとの対応関係から当該浄水器の対応する累積ＴＤＳデータを検索するとともに、当該データをゼロクリア処理することによって、当該浄水器が洗浄された後に再びＴＤＳデータを累積する。
【００９４】
本発明の実施例は、浄水器が浄水操作を行った後に検出されたＴＤＳデータをサーバに報告し、サーバが当該ＴＤＳデータに基づいて、当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【００９５】
＜実施例４＞
本発明の実施例は、スマート浄水器におけるユーザ通知装置を提供し、図５を参照して、当該装置は、サーバが、浄水器から報告された浄水操作の後に検出されたＴＤＳデータを受信するための第１の受信モジュール５０１と、第１の受信モジュールにより受信されたＴＤＳデータに基づいて、浄水器の対応する、浄水器の直近一回に洗浄した後のＴＤＳデータ総増加量である累積ＴＤＳデータを算出するための第１の算出モジュール５０２と、第１の算出モジュールにより算出された浄水器の対応する累積ＴＤＳデータ及び所定の最大洗浄時間に基づいて、現在状態における浄水器の洗浄周期を算出するための第２の算出モジュール５０３と、第２の算出モジュールにより算出された洗浄周期が所定条件を満たす場合、浄水器に繋がる端末にプロンプトメッセージを送信することによって、浄水器を洗浄する必要があることをユーザに通知するための通知モジュール５０４と、を含む。
【００９６】
ここで、第１の受信モジュール５０１は、サーバが、浄水器から報告された浄水操作の後に検出された給水ＴＤＳデータと出水ＴＤＳデータを受信するための第１の受信ユニットと、サーバが、浄水器から報告された浄水操作の後に検出された給水ＴＤＳデータと出水ＴＤＳデータとに基づいて算出した増量ＴＤＳデータを受信するための第２の受信ユニットと、を含む。
【００９７】
ここで、装置は、さらに、現在日付と浄水器の対応する直近一回の洗浄日付との差が第２の算出モジュールにより算出された洗浄周期以上である場合、洗浄周期が所定条件を満たすと特定するための特定モジュール５０５を含む。
【００９８】
ここで、装置は、さらに、浄水器の報告した洗浄イベント情報を受信するための第２の受信モジュール５０６と、第２の受信モジュールの受信した洗浄イベント情報に基づいて、浄水器の対応する直近一回の洗浄日付を更新するための更新モジュール５０７と、を含む。
【００９９】
ここで、装置は、さらに、浄水器の対応する累積ＴＤＳデータをゼロクリア処理するための処理モジュール５０８を含む。
【０１００】
本発明の実施例は、浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【０１０１】
＜実施例５＞
本発明の実施例は、スマート浄水器におけるユーザ通知装置を提供し、図６を参照して、当該装置は、浄水器が浄水操作を行った後に、浄水操作の後に検出されたＴＤＳデータを取得するための取得モジュール６０１と、取得モジュールにより取得されたＴＤＳデータをサーバに送信することによって、前記サーバが前記ＴＤＳデータに基づいて前記浄水器に繋がる端末にプロンプトメッセージを送信するための第１の送信モジュール６０２と、を含む。
【０１０２】
ここで、取得モジュール６０１は、浄水器が浄水操作を行った後に検出された給水ＴＤＳデータと出水ＴＤＳデータを取得するための第１の取得ユニットを含む。
【０１０３】
それに対して、第１の送信モジュール６０２は、第１の取得ユニットにより取得された給水ＴＤＳデータと出水ＴＤＳデータをサーバに送信するための第１の送信ユニットを含む。
【０１０４】
ここで、取得モジュール６０１は、浄水器が浄水操作を行った後に検出された給水ＴＤＳデータと出水ＴＤＳデータを取得するための第２の取得ユニットと、給水ＴＤＳデータと出水ＴＤＳデータに基づいて増量ＴＤＳデータを算出するための算出ユニットと、を含む。
【０１０５】
それに対して、第１の送信モジュール６０２は、第１の取得ユニットにより取得された増量ＴＤＳデータをサーバに送信する第２の送信ユニットを含む。
【０１０６】
ここで、装置は、さらに、浄水器は、洗浄イベントがトリガされたと検出すると、サーバに洗浄イベント情報を送信するための第２の送信モジュール６０３を含む。
【０１０７】
本発明の実施例は、浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【０１０８】
＜実施例６＞
図７は、一実施例におけるスマート浄水器におけるユーザ通知装置１９００を例示的示すブロック図である。例えば、装置１９００としてサーバを提供することができる。図７を参照して、装置１９００は、１つ又は複数のプロセッサを含むプロセスアセンブリ１９２２と、メモリ１９３２が代表となり、例えばアプリケーションなどのプロセスアセンブリ１９２２により実行可能なコマンドを記憶するメモリソースと、を備える。メモリ１９３２内に記憶されたアプリケーションは、１つ又は１つ以上のモジュールを含み、当該１つ又は１つ以上のモジュールは、それぞれ１組のコマンドに対応する。なお、プロセスアセンブリ１９２２はコマンドを実行するように構成され、これにより、上記スマート浄水器におけるユーザ通知方法を実行する。
【０１０９】
装置１９００は、さらに、装置１９００の給電管理を行うための電源アセンブリ１９２６と、装置１９８００とネットワークとを接続するための有線又は無線のネットワークインターフェース１９５０と、入出力（Ｉ／Ｏ）インターフェース１９５８とを備える。装置１９００は、例えば、Ｗｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭなどの、メモリ１９３２に記憶されたオペレーティング・システムにおいて操作を行うことができる。
【０１１０】
本発明の実施例は、浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【０１１１】
＜実施例７＞
図８は、一実施例におけるスマート浄水器におけるユーザ通知装置８００を例示的に示すブロック図である。例えば、装置８００は携帯電話、コンピュータ、デジタル放送端末、メッセージ受発信手段、ゲームコンソール、タブレットデバイス、医療機器、フィットネス機器、パーソナルデジタルアシスタント等であってもよい。
【０１１２】
図８を参照して、装置８００は、プロセスアセンブリ８０２、メモリ８０４、電源アセンブリ８０６、マルチメディアアセンブリ８０８、オーディオアセンブリ８１０、入出力（Ｉ／Ｏ）インターフェース８１２、センサアセンブリ８１４、及び通信アセンブリ８１６のような一つ以上のアセンブリを含んでよい。
【０１１３】
プロセスアセンブリ８０２は、一般的には装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或いは一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【０１１４】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１１５】
電源アセンブリ８０６は、装置８００の多様なアセンブリに電力を供給する。電源アセンブリ８０６は、電源管理システム、一つ以上の電源、及び装置８００のための電力の生成、管理及び割り当てに関連する他のアセンブリを含んでもよい。
【０１１６】
マルチメディアアセンブリ８０８は、前記装置８００とユーザの間に一つの出力インターフェースを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディアアセンブリ８０８は、一つのフロントカメラ、及び／又はリアーカメラを含む。装置８００が、例えば撮影モード、或いはビデオモード等の操作モードにある場合、フロントカメラ、及び／又はリアーカメラは外部からマルチメディアデータを受信できる。フロントカメラとリアーカメラのそれぞれは、一つの固定型の光レンズ系、或いは可変焦点距離と光学ズーム機能を有するものであってもよい。
【０１１７】
オーディオアセンブリ８１０は、オーディオ信号をインターフェースするように構成されてもよい。例えば、オーディオアセンブリ８１０は、一つのマイク（ＭＩＣ）を含み、装置８００、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【０１１８】
Ｉ／Ｏインターフェース８１２は、プロセスアセンブリ８０２と周辺インターフェースモジュールの間にインターフェースを提供するものであり、上記周辺インターフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１１９】
センサアセンブリ８１４は、装置８００に各方面の状態に対する評価を提供するための一つ以上のセンサを含む。例えば、センサアセンブリ８１４は、装置８００のＯＮ／ＯＦＦ状態、装置８００のディスプレイとキーパッドのようなアセンブリの相対的な位置決めを検出できる。また、例えば、センサアセンブリ８１４は、装置８００、或いは装置８００の一つのアセンブリの位置変更、ユーザと装置８００とが接触しているか否か、装置８００の方位、又は加速／減速、装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【０１２０】
通信アセンブリ８１６は、装置８００と他の機器の間に有線、又は無線形態の通信を提供する。装置８００は、例えばＷｉＦｉ、２Ｇ、３Ｇ、或いはこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１２１】
例示的な実施例において、装置８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１２２】
例示的な実施例において、さらに、命令を含む非一時的なコンピュータで読み取り可能な記憶媒体、例えば命令を含むメモリ８０４を提供しており、装置８００のプロセッサ８２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【０１２３】
本発明の実施例は、浄水器が浄水操作を行った後に検出されたＴＤＳデータをサーバに報告し、サーバが当該ＴＤＳデータに基づいて当該浄水器の累積ＴＤＳデータを算出するとともに、累積ＴＤＳデータ及び所定の最大洗浄時間に基づいて当該浄水器の洗浄周期を特定し、洗浄周期が所定条件を満たす場合、浄水器に繋がる端末にプロンプトメッセージを送信する。これにより、ユーザが浄水器を使用する過程において、洗浄を必要とする浄水器について自動的にユーザに通知し、浄水器の使用効率を向上させ、マンマシンインタラクティブを高めることができる。
【０１２４】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１２５】
本発明は、上記において開示された構成又は図面に示した構造に限定されるものではなく、本発明の範囲内であれば、様々な補正又は変更を行うことができる。本発明の範囲は、特許請求の範囲により制限される。
【国際調査報告】
2017506153.tif 000011
2017506153.tif 000012
2017506153.tif 000013
2017506153.tif 000014
2017506153.tif 000015
2017506153.tif 000016